(57)【要約】      （修正有）【課題】トレイとして使用するときは平面状に展開でき、ぬいぐるみ体には装身具類を装着することにより、小物の装身具類を分類して整理して収容でき、装身具類を整理して収容した状態で携帯をすることができる装身具類の小物入れを提供する。【解決手段】巾着状袋体１は、ほぼ平面状に展開可能でかつ周縁部に沿って移動自在に挿通した紐体２を引き締めることにより開口部は閉塞する。袋体１の内底部には、袋体１の閉塞時に閉塞した開口部から少なくとも頭部14が突出するぬいぐるみ体12が着脱可能に取付ける。ぬいぐるみ体12は装身具類18が装着可能な胴体部13と腕部15及び脚部16とを有する。袋体1の内底部に装身具類18を収納可能なポケット部８を形成する。【選択図】図１
0003135137.tif 000002
【実用新案登録請求の範囲】
【請求項１】
ほぼ平面状に展開可能でかつ周縁部に沿って移動自在に挿通した紐体を引き締めることにより開口部を閉塞する巾着状袋体と、
この袋体の内底部に取付けられこの袋体の閉塞時に閉塞された開口部から少なくとも頭部が突出するぬいぐるみ体とを
備え、
前記ぬいぐるみ体は装身具類が装着可能な胴体部と腕部及び脚部を有する
ことを特徴とする装身具類の小物入れ。
【請求項２】
ぬいぐるみ体は袋体の内底部に着脱可能に取付けたことを特徴とする請求項１記載の装身具類の小物入れ。
【請求項３】
袋体の内底部に装身具類を収納可能なポケット部を形成したことを特徴とする請求項１または２記載の装身具類の小物入れ。
【考案の詳細な説明】
【技術分野】
【０００１】
本考案は装身具類を収容するトレイ及び巾着状のポーチとして携帯できる装身具類の小物入れに関する。
【背景技術】
【０００２】
従来のリング、イヤリング、ピアス、ブレスレット及びリストウオッチなどの装身具類のトレイには、方形状に形成したシート部材の周縁四隅部にそれぞれ互いに係脱可能なスナップ部材を相対して取付け、トレイとして使用するときには、四隅部の互いに係合するスナップ部材を係合させることにより皿状に形成し、トレイとして使用しないときには四隅部の互いに係合しているスナップ部材の係合を解き、方形状のシート状にできる装身具類を収容するトレイが知られている。このようなトレイは皿状に形成した状態では装身具類を収容することはできるが、装身具類を収容した状態では携帯することはできず、また、シート状とした場合には装身具類などを収容することもできない問題があった（特許文献１）。
【０００３】
また、装身具類を収容して携帯できる巾着といわれる袋状の小物入れでは、装身具類などを分類して収納できず、収納した装身具類などの取り出しに際しては、開口部から覗き込まなくては確認できないので、収容した小物の取り出しに不便である問題があった（特許文献２）。
【０００４】
さらに、袋状の小物入れをぬいぐるみ形状にして、頭部の上部を開口部とした巾着形の小物入れも知られているが、このぬいぐるみ形状の小物入れも装身具類などを分類収納できず、収納した装身具類の取り出しに際しては、開口部から覗き込まなくては確認できないので、収容した小物の取り出しに不便である問題があった（特許文献３）。
【０００５】
そこで、トレイとして使用するときには、四隅部の互いに係合するスナップ部材を係合させることにより皿状に形成できる方形状の柔軟性シート部材にめがねなどを収容できるポケット状の袋部を形成し、この袋部に、めがねなどを収納した状態で柔軟性シート部材を二つ折りにして携帯ができるトレイが知られている（特許文献４）。
【特許文献１】実用新案登録第３００８５０１号公報
【特許文献２】特開２００６−２１９１９２号公報
【特許文献３】実用新案登録第３００７１７５号公報
【特許文献４】特開２００５−１４３６６３号公報
【考案の開示】
【考案が解決しようとする課題】
【０００６】
解決しようとする問題点は、上記特許文献４に記載されているトレイでは、シート部材と同一の材質のシート片をシート部材に重ね合わせて縫合して袋部を形成した構成で、袋部は扁平状で装身具類を収容し難いとともに取り出し難い問題があった。
【０００７】
本考案は上記問題点に鑑みなされたもので、トレイとして使用するときは平面状に展開でき、ぬいぐるみ体には装身具類を装着することにより、小物の装身具類を分類して整理して収容でき、また、装身具類を整理して収容した状態で携帯をすることができる装身具類の小物入れを提供するものである。
【課題を解決するための手段】
【０００８】
本考案の装身具類の小物入れは、ほぼ平面状に展開可能でかつ周縁部に沿って移動自在に挿通した紐体を引き締めることにより開口部を閉塞する巾着状袋体と、この袋体の内底部に取付けられこの袋体の閉塞時に閉塞された開口部から少なくとも頭部が突出するぬいぐるみ体とを備え、前記ぬいぐるみ体は装身具類が装着可能な胴体部と腕部及び脚部を有するものである。
【０００９】
そして、トレイとして使用するときは、巾着状の袋体をほぼ平面状に展開して、小物の装身具類を収容するとともに、ぬいぐるみ体の胴体部にブレスレット、リストウオッチなどの装身具類を装着し、腕部及び脚部にはリングなどの装身具類を装着する。
【００１０】
また、携帯するときには、展開した巾着状の袋体に装身具類を収容するとともにぬいぐるみ体に小物の装身具類の装着した状態で、紐体を引き締めることにより巾着状袋体の開口部を閉塞し、ぬいぐるみ体の頭部が袋体の開口部から突出した状態となり、小物の装身具類を整理した状態で携帯をすることができる。
【００１１】
本考案の請求項２に係る装身具類の小物入れは、請求項１記載の装身具類の小物入れにおいて、ぬいぐるみ体は袋体の内底部に着脱可能に取付けたものである。
【００１２】
そして、袋体からぬいぐるみ体を取り外して袋体はトレイとして、または巾着状の小物入れとして、さらに、ぬいぐるみ体は小物の装身具類の装着体としてそれぞれ別個に分離して使用できる。
【００１３】
本考案の請求項３に係る装身具類の小物入れは、請求項１または２記載の装身具類の小物入れにおいて、袋体の内底部に装身具類を収納可能なポケット部を形成したものである。
【００１４】
そして、イヤリング及びピアスなどの装身具類を袋体の内底部に形成されているポケット部に分類して収納できる。
【考案の効果】
【００１５】
本考案によれば、巾着状の袋体をほぼ平面状に展開することによりトレイに形成でき、露出したぬいぐるみ体の胴体部にブレスレット、リストウオッチなどの装身具類を装着できるとともに、腕部及び脚部にはリングなどの装身具類を装着することができ、さらに、袋体の内底部に装身具類などの小物をトレイとして収容でき、また、携帯するときには、ぬいぐるみ体に装身具類を装着するとともに展開した袋体上に装身具類を載せ置いた状態で、紐体を引き締めることにより巾着状袋体の開口部を閉塞でき、小物などの装身具類を整理した状態で紛失することなく携帯をすることができ、このとき、巾着状の袋体の開口部からぬいぐるみ体の頭部が突出して興趣が高められる。
【００１６】
また、袋体からぬいぐるみ体を取り外すことにより、袋体はトレイとして、ぬいぐるみ体は小物の装身具類の装着体としてそれぞれ別個に分離して使用でき、小物の装身具類などの収容整理の多様化が図れる。
【００１７】
さらに、袋体の内底部に形成したポケット部に、イヤリング及びピアスなどの装身具類を分類収納することにより、イヤリング及びピアスなどを分類整理でき、小物の装身具類の収容整理が容易に確実にできる。
【考案を実施するための最良の形態】
【００１８】
本考案の装身具類の小物入れの最良の実施の形態を図１ないし図５に基いて説明する。
【００１９】
巾着状の袋体１は円形形状の布地、皮革地または合成樹脂地にてほぼ平面状に展開可能に形成され、かつ周縁部に沿って紐体２を移動自在に挿通する紐挿通部３が縫着により円環状に形成され、この紐挿通部３の両側には紐導出部４が左右に形成されている。また、この円環状の紐挿通部３の内側に位置して前記袋体１に円形状の布地、皮革地または合成樹脂地の内底部材５が配設され、この内底部材５はその半径方向の略中間位置にて前記袋体１に環状に縫着された縫着部６にて前記袋体１に取着され、さらに、この内底部材５は円形の縫着部６から半径方向に向かって放射状の縫着部７にて袋体１に縫着され、この放射状の縫着部７間にそれぞれ袋体１と内底部材５との間にこの内底部材５の外周縁に開口するポケット部８が形成されている。
【００２０】
そして、前記袋体１は左右の紐導出部４から外側に導出されている紐体２を引き締めることにより袋体１は内底部材５の周縁近傍から立ち上がり、上面に開口した開口部９を有する袋状となり、さらに、紐体２を引き締めると袋体１は巾着状に開口部９が閉塞される。
【００２１】
また、この袋体１の内底部の内底部材５には中心部にループ状面の面状ファスナー10が設けられている。
【００２２】
この袋体１の内底部材５に係脱可能に係合するぬいぐるみ体12は、胴体部13と、この胴体部13の上部に設けられた頭部14と、この胴体部13の上部には前方に突出する腕部15が設けられ、胴体部13の下部には前方に突出する脚部16が設けられている。また、このぬいぐるみ体12の胴体部13の下面には前記袋体１の面状ファスナー10に係脱可能に係合するフック状面の面状ファスナー（図示せず）が設けられている。さらに、このぬいぐるみ体12の目部及び腕部15と脚部16の先端にはクリスタル、ガラスなどの輝きのある飾体17が設けられている。
【００２３】
次に、この実施の形態の作用を説明する。
【００２４】
トレイとして使用するときは、図１に示すように、巾着状の袋体１をほぼ平面状に展開して、図４に示すように、袋体１の内底部材５上にリングなどの装身具類20を収容することができるとともに、ぬいぐるみ体12の胴体部13にブレスレット、リストウオッチなどの装身具類を装着し、腕部15及び脚部16にはリングなどの装身具類18を装着することができる。
【００２５】
さらに、図４に示すように、袋体１の内底部材５に形成したポケット部８にイヤリング、ピアスなどの装身具類19を収納することができる。
【００２６】
また、携帯するときには、展開した巾着状の袋体１に装身具類を収容するとともにぬいぐるみ体12に小物の装身具類の装着した状態で、袋体１の左右の紐導出部４から導出されている紐体２を引き締めることにより、袋体１はその開口部を巾着状に閉塞され、ぬいぐるみ体12の頭部14が袋体１の開口部９から突出した状態となり、小物の装身具類を整理した状態で袋体１を携帯することができる。
【００２７】
このとき、巾着状の袋体1の閉塞時には、その開口部９から少なくともぬいぐるみ体12の頭部14が突出して興趣が高められる。
【００２８】
また、図４に示すように、ぬいぐるみ体12を袋体１の内底部材５から取り外して袋体１はトレイとして、また、図５に示すように巾着状の小物入れとして、さらに、ぬいぐるみ体12は小物の装身具類18の装着体としてそれぞれ別個に分離して使用できる。
【００２９】
なお、図４に示すように、袋体１の内底部材５上にリングなどの装身具類20を載置し、この状態で、面ファスナー10にぬいぐるみ体12の図示しない面ファスナーを係合してリングなどの装身具類20を保持することもでき、収容整理の多様化が図れる。
【００３０】
また、このぬいぐるみ体12の目部及び腕部15と脚部16の先端にはクリスタル、ガラスなどの輝きのある飾体17を取着することにより、夜間でも飾体17が反射して輝き、容易にぬいぐるみ体12を包んだ袋体１または、ぬいぐるみ体12の単体の存在位置を確認できる。
【００３１】
前記実施の形態では、袋体１にぬいぐるみ体12を面状ファスナー10にて係脱可能に係合することによりぬいぐるみ体12を着脱可能としたが、面状ファスナー10に限らず、スナップボタンなど適宜の手段で、着脱可能とすることもできる。
【図面の簡単な説明】
【００３２】
【図１】一実施の形態の装身具類の小物入れの袋体を展開した状態の斜視図である。
【図２】図１に示す装身具類の小物入れの袋体を巾着状に開口部を閉じてぬいぐるみ体の一部を突出させた状態の斜視図である。
【図３】図２に示す装身具類の小物入れの袋体を巾着状に開口部を閉じてぬいぐるみ体の一部を突出させた状態の他の態様の斜視図である。
【図４】図１に示す装身具類の小物入れのぬいぐるみ体を取り外した袋体を展開した状態の斜視図である。
【図５】図４に示す装身具類の小物入れの袋体を巾着状に開口部を閉じた状態の斜視図である。
【符号の説明】
【００３３】
１    袋体
２    紐体
８    ポケット部
９    開口部
12    ぬいぐるみ体
13    胴体部
14    頭部
15    腕部
16    脚部
18    装身具類
【図１】
0003135137.tif 000003
【図２】
0003135137.tif 000004
【図３】
0003135137.tif 000005
【図４】
0003135137.tif 000006
【図５】
0003135137.tif 000007